【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
対向して設けられた第１の電極と第２の電極との間に、
第１の層と、第２の層と、第３の層とを有し、
前記第１の層はドナー準位を有する層であり、
前記第２の層はアクセプタ準位を有する層であり、
前記第３の層は発光物質を含む層もしくは少なくとも発光物質を含む層を有する積層体であり、
前記第１の層、前記第２の層、前記第３の層は順番に積層されており、
前記第２の電極は前記第１の層に接して設けられており、
前記第１の電極は前記第３の層に接して設けられており、
前記第２の電極の電位を前記第１の電極の電位より高くした際、
前記第２の層から発生した正孔が前記第３の層に注入されることを特徴とする発光装置。
【請求項２】
対向して設けられた第１の電極と第２の電極との間に、
第１の層と、第２の層と、第３の層と、第４の層とを有し、
前記第１の層と前記第４の層とはドナー準位を有する層であり、
前記第２の層はアクセプタ準位を有する層であり、
前記第３の層は発光物質を含む層もしくは少なくとも発光物質を含む層を有する積層体であり、
前記第１の層、前記第２の層、前記第３の層及び前記第４の層は順番に積層されており、
前記第２の電極は前記第１の層に接して設けられており、
前記第１の電極は前記第４の層に接して設けられており、
前記第２の電極の電位を前記第１の電極の電位より高くした際、
前記第２の層から発生した正孔と、前記第４の層から発生した電子が前記第３の層に注入されることを特徴とする発光装置。
【請求項３】
対向して設けられた第１の電極と第２の電極との間に、
第１の層と、第２の層と、第３の層と、第４の層と、第５の層とを有し、
前記第１の層と前記第４の層とはドナー準位を有する層であり、
前記第２の層と第５の層とはアクセプタ準位を有する層であり、
前記第３の層は発光物質を含む層もしくは少なくとも発光物質を含む層を有する積層体であり、
前記第１の層、前記第２の層、前記第３の層、前記第４の層及び前記第５の層は順番に積層されており、
前記第２の電極は前記第１の層に接して設けられており、
前記第１の電極は前記第５の層に接して設けられており、
前記第２の電極の電位を前記第１の電極の電位より高くした際、
前記第２の層から発生した正孔と、前記第４の層から発生した電子が前記第３の層に注入されることを特徴とする発光装置。
【請求項４】
対向して設けられた第１の電極と第２の電極との間に、
第１の層と、第２の層と、第３の層とを有し、
前記第１の層は正孔よりも電子の移動度が高い第１の物質と前記第１の物質に電子を供与することが可能な第２の物質を含む層であり、
前記第２の層は電子よりも正孔の移動度が高い第３の物質と前記第３の物質から電子を受容することが可能な第４の物質を含む層であり、
前記第３の層は発光物質を含む層もしくは少なくとも発光物質を含む層を有する積層体であり、
前記第１の層、前記第２の層、前記第３の層は順番に積層されており、
前記第２の電極は前記第１の層に接して設けられており、
前記第１の電極は前記第３の層に接して設けられており、
前記第２の電極の電位を前記第１の電極の電位より高くした際、
前記第２の層から発生した正孔が前記第３の層に注入されることを特徴とする発光装置。
【請求項５】
対向して設けられた第１の電極と第２の電極との間に、
第１の層と、第２の層と、第３の層と、第４の層とを有し、
前記第１の層は正孔よりも電子の移動度が高い第１の物質と前記第１の物質に電子を供与することが可能な第２の物質を含む層であり、
前記第２の層は電子よりも正孔の移動度が高い第３の物質と前記第３の物質から電子を受容することが可能な第４の物質を含む層であり、
前記第３の層は発光物質を含む層もしくは少なくとも発光物質を含む層を有する積層体であり、
前記第４の層は正孔よりも電子の移動度が高い第５の物質と前記第５の物質に電子を供与することが可能な第６の物質を含む層であり、
前記第１の層、前記第２の層、前記第３の層及び前記第４の層は順番に積層されており、
前記第２の電極は前記第１の層に接して設けられており、
前記第１の電極は前記第４の層に接して設けられており、
前記第２の電極の電位を前記第１の電極の電位より高くした際、
前記第２の層から発生した正孔と、前記第４の層から発生した電子が前記第３の層に注入されることを特徴とする発光装置。
【請求項６】
請求項５において、
前記第１の物質と前記第５の物質は同じ材料もしくは異なる材料で形成され、
前記第２の物質と前記第６の物質は同じ材料もしくは異なる材料で形成されていることを特徴とする発光装置。
【請求項７】
対向して設けられた第１の電極と第２の電極との間に、
第１の層と、第２の層と、第３の層と、第４の層と、第５の層とを有し、
前記第１の層は正孔よりも電子の移動度が高い第１の物質と前記第１の物質に電子を供与することが可能な第２の物質を含む層であり、
前記第２の層は電子よりも正孔の移動度が高い第３の物質と前記第３の物質から電子を受容することが可能な第４の物質を含む層であり、
前記第３の層は発光物質を含む層もしくは少なくとも発光物質を含む層を有する積層体であり、
前記第４の層は正孔よりも電子の移動度が高い第５の物質と前記第５の物質に電子を供与することが可能な第６の物質を含む層であり、
前記第５の層は電子よりも正孔の移動度が高い第７の物質と前記第７の物質から電子を受容することが可能な第８の物質を含む層であり、
前記第１の層、前記第２の層、前記第３の層、前記第４の層及び前記第５の層は順番に積層されており、
前記第２の電極は前記第１の層に接して設けられており、
前記第１の電極は前記第５の層に接して設けられており、
前記第２の電極の電位を前記第１の電極の電位より高くした際、
前記第２の層から発生した正孔と、前記第４の層から発生した電子が前記第３の層に注入されることを特徴とする発光装置。
【請求項８】
請求項７において、
前記第１の物質と前記第５の物質は同じ材料もしくは異なる材料で形成され、
前記第２の物質と前記第６の物質は同じ材料もしくは異なる材料で形成され、
前記第３の物質と前記第７の物質は同じ材料もしくは異なる材料で形成され、
前記第４の物質と前記第８の物質は同じ材料もしくは異なる材料で形成されていることを特徴とする発光装置。
【手続補正２】
【補正対象書類名】明細書
【補正対象項目名】００２９
【補正方法】変更
【補正の内容】
【００２９】
上記構成を有する本発明の発光装置は、第２の電極１０６の電位が第１の電極１０１の電位より高くなるように電圧をかけると、ドナー準位を有する層１０３より第２の電極に電子が注入される。また、アクセプタ準位を有する層１０５より正孔が発光積層体１０４に注入される。さらに、第１の電極１０１より発光積層体１０４に電子が注入され、発光積層体において注入された電子と正孔が再結合し、励起状態となった発光材料が基底状態と戻る際に発光が得られる。ここで本発明の発光装置では、第２の電極１０６がドナー準位を有する層１０３に正孔を注入するのではなく、ドナー準位を有する層１０３が第２の電極に電子を注入することによって動作するため、第２の電極１０６が有する仕事関数に関しては考慮しなくても良くなる。これにより、第２の電極を作製する材料を選択する際、仕事関数を考慮しなくとも良い。第２の電極を作製する材料を選択する際、材料選択の幅が広がる。これにより、より当該発光装置が有する構成に適した材料を使用することが出来るようになる。
【手続補正３】
【補正対象書類名】明細書
【補正対象項目名】００４０
【補正方法】変更
【補正の内容】
【００４０】
上記構成を有する本発明の発光装置は、第２の電極１０６の電位が第１の電極１０１の電位より高くなるように電圧をかけると、第２のドナー準位を有する層１０３より第２の電極に電子が注入される。また、アクセプタ準位を有する層１０５より正孔が発光積層体１０４に注入される。さらに、第１のドナー準位を有する層１０２より発光積層体１０４に電子が注入され、発光積層体において注入された電子と正孔が再結合し、励起状態となった発光材料が基底状態と戻る際に発光が得られる。ここで本発明の発光装置では、第２の電極１０６が第２のドナー準位を有する層１０３に正孔を注入するのではなく、第２のドナー準位を有する層１０３が第２の電極に電子を注入することによって動作するため、第２の電極１０６が有する仕事関数に関しては考慮しなくても良くなる。これにより、第２の電極を作製する材料を選択する際、仕事関数を考慮しなくとも良い。第２の電極を作製する材料を選択する際、材料選択の幅が広がる。これにより、より当該発光装置が有する構成に適した材料を使用することが出来るようになる。